(57)【特許請求の範囲】
【請求項１】
前面に開口部を有し、商品収納コラムから搬出された商品を受けて、前記開口部から取り出せるようにした販売口と、該販売口の前面開口部を開閉自在に覆う販売口扉と、前記販売口の上側に設けられた電照部と、前記電照部と販売口との間に設けられ、電照部から販売口へ照明の光を導入する透孔を有する隔壁と、販売口扉が閉じられているときは前記透孔を覆い、販売口扉が開かれたときは前記透孔を覆わなくなるように前記販売口扉と連動して開閉する遮光板とを具えたことを特徴とする自動販売機の販売口。
【請求項２】
前記販売口扉のヒンジ軸と同軸に固定された第１の平歯車と、前記隔壁に、前記第１の平歯車と噛み合って連動するように設けられ、側面に水平方向に伸びるシャフトを設けた第２の平歯車と、前記遮光板として、前端部に前記シャフトと係合する係合部を有し、後端部にヒンジを有していて、前記販売口扉を開けたとき、前記シャフトにより前側が持ち上げられて開く開閉遮光板とを具えたことを特徴とする請求項１記載の自動販売機の販売口。
【請求項３】
前記販売口扉のヒンジ軸と同軸に固定された第１の平歯車と、前記隔壁に、前記第１の平歯車と噛み合って連動するように設けられた第２の平歯車と、前記遮光板として、前記第２の平歯車と噛み合うラック歯車が設けられ、前記販売口扉を開けたとき、前記第２の平歯車とラック歯車とにより前方にスライドして開くスライド遮光板とを具えたことを特徴とする請求項１記載の自動販売機の販売口。
【発明の詳細な説明】
【０００１】
【発明の属する技術分野】
本発明は、夜間等に購入者が商品を取り出す際に、その部分が照明されて商品が見やすくなるようにした自動販売機の販売口に関するものである。
【０００２】
【従来の技術】
図５は、従来の自動販売機の販売口を示す図である。図５において、１は商品、２は自動販売機の前面下部にある販売口、３は上ヒンジで前上がりに回転する販売口扉、４は断熱板、５は商品収納ラックから落下してくる商品を通す搬出扉、６は商品サンプルの展示や広告用デザイン板がある電照部、７はその蛍光灯、８は販売口２と電照部６との間を隔てる隔壁、９は隔壁８に設けられた採光用の角孔である。
【０００３】
従来の自動販売機では、このように、販売口２と電照部６との間を隔てている隔壁８に角孔９を設けることにより、電照部６用の蛍光灯７の光が角孔９を通して販売口２内を照らすようにしている。その結果、販売口２内が常に明るくなって、夜間に自動販売機を利用する際に、商品収納ラックから販売口２内に落下してきた商品１が良く見え、商品を取り出し易くなる。
【０００４】
なお、このような自動販売機の販売口に関連する従来の文献としては、例えば、実開平６−３７９６７  公報（Ｇ０７Ｆ  ９／００）  がある。
【０００５】
【発明が解決しようとする課題】
しかしながら、上記した従来の自動販売機では、常時、販売口２の中が明るくなっているため、明かりに寄せられて虫が集まってきてしまい、隙間から販売口２内にも入り込む。その結果、販売口２の周囲が見苦しくなると共に、虫の死骸が販売口２内にたまって衛生状態も悪くなり、販売に悪影響がでるという問題点があった。
【０００６】
そのような問題点を解決するものとして、隔壁８に角孔９を設ける代わりに、販売口２専用のランプを設け、それを商品購入時のみ点灯させるようにしたものが開発されているが、ランプ等の電気部品が必要になる上、その点灯制御も必要になってコスト高になってしまう。しかも、ランプは消耗して切れることがあり、そのメンテナンスも必要になるという問題点があった。
【０００７】
本発明は、そのような問題点を解決し、コストをあまりかけずに、商品購入時のみ販売口を明るくできるようにして、商品を取り出し易くしながら虫が集まってこないようにすることを目的とするものである。
【０００８】
【課題を解決するための手段】
前記課題を解決するため、請求項１記載の自動販売機の販売口は、前面に開口部を有し、商品収納コラムから搬出された商品を受けて、前記開口部から取り出せるようにした販売口と、該販売口の前面開口部を開閉自在に覆う販売口扉と、前記販売口の上側に設けられた電照部と、前記電照部と販売口との間に設けられ、電照部から販売口へ照明の光を導入する透孔を有する隔壁と、販売口扉が閉じられているときは前記透孔を覆い、販売口扉が開かれたときは前記透孔を覆わなくなるように前記販売口扉と連動して開閉する遮光板とを具えたことを特徴とする。このようにすると、コストをあまりかけずに、商品購入時のみ販売口を明るくすることができ、商品を取り出し易くしながら虫が集まってこないようにすることができる。
【０００９】
そして、請求項２記載の自動販売機の販売口は、前記販売口扉のヒンジ軸と同軸に固定された第１の平歯車と、前記隔壁に、前記第１の平歯車と噛み合って連動するように設けられ、側面に水平方向に伸びるシャフトを設けた第２の平歯車と、前記遮光板として、前端部に前記シャフトと係合する係合部を有し、後端部にヒンジを有していて、前記販売口扉を開けたとき、前記シャフトにより前側が持ち上げられて開く開閉遮光板とを具えたことを特徴とする。このようにすると、平歯車と開閉遮光板のような簡単な部品を付加するだけで、上記のことを実現することができる。
【００１０】
また、請求項３記載の自動販売機の販売口は、前記販売口扉のヒンジ軸と同軸に固定された第１の平歯車と、前記隔壁に、前記第１の平歯車と噛み合って連動するように設けられた第２の平歯車と、前記遮光板として、前記第２の平歯車と噛み合うラック歯車が設けられ、前記販売口扉を開けたとき、前記第２の平歯車とラック歯車とにより前方にスライドして開くスライド遮光板とを具えたことを特徴とする。このようにすると、スライド遮光板を開けたとき、角孔の上は完全に開放されて、販売口の中がより明るくなる。
【００１１】
【発明の実施の形態】
以下、本発明の実施の形態を図面に基づいて詳細に説明する。
図１は、本発明の第１実施形態を示す図である。図１において、符号１〜９は図５のものに対応しており、１０，１１は平歯車、１２はシャフト、１３は開閉遮光板、１４はヒンジ軸、１５はＵ字溝、１６はドアチャネルミドル、１７は採光用の角孔、１８は透明板である。
【００１２】
販売口扉３の両端にそのヒンジ軸と同軸に平歯車１０を取り付け、平歯車１０と噛み合って連動する平歯車１１をその上側に取り付ける。平歯車１１には、外周近くに貫通孔を設け、両端の平歯車１１，１１の貫通孔にシャフト１２を通す。また、隔壁８に形成した角孔９の上に、ヒンジ軸１４による後ヒンジで前側が開閉する開閉遮光板１３を取り付けている。開閉遮光板１３の前側先端部にはＵ字溝１５を形成しており、そのＵ字溝１５にシャフト１２を通すようにしている。
【００１３】
その上側には、ドアチャネルミドル１６があり、その一部に角孔１７が形成されており、それを覆って埃等が電照部６内に入り込まないようにプラスチック製の透明板１８が取り付けられている。そして、電照部６には、商品サンプルやデザイン板を照らすための蛍光灯７が設けられている。
【００１４】
通常は、販売口扉３が閉まっているため、図１に示すように、開閉遮光板１３は、角孔９を塞いでいて、蛍光灯７の光は販売口２内に入ってこない。そして、購入者が購入動作を行い、商品収納コラムから販売口２に商品１が搬出されると、販売口２から商品１を取り出すため販売口扉３を開けることになる。
【００１５】
図２は、図１のものの販売口扉を開いた状態を示す図である。図２に示すように、販売口扉３を前に持ち上げて開けると、それに直結された平歯車１０が時計回りに回転する。それと連動して平歯車１１が反時計回りに回転し、それに取り付けられているシャフト１２が上方に移動する。そのシャフト１２により開閉遮光板１３の前側が上方に開く。その結果、角孔９が開いて、電照部６にある蛍光灯７の光が販売口２内に入ってきて、その中を明るくする。また、購入者が商品１を販売口２から取り出した後、販売口扉３から手を放すと、販売口扉３は自重により閉まる。その時、平歯車１０，１１は逆に回転し、開閉遮光板１３は、再び角孔９を塞ぎ、販売口２内が暗くなる。
【００１６】
このようにすれば、待機時には、開閉遮光板１３が角孔９を塞いでいるため、販売口２の中は暗くなっており、そこに虫が集まってくることがなくなる。一方、購入者が来て、商品を販売する時には、購入者が販売口扉３を開けると同時に販売口２の中が明るくなって、商品を取り出し易くなる。しかも、使用する部品は、平歯車１０，１１や開閉遮光板１３のように、簡単なものであり、電気部品のような高価なものは用いないので、低コストとなり、また、ランプの取り替えのようなメンテナンスも特に必要なくなる。
【００１７】
図３は、本発明の第２実施形態を示す図である。符号は、図１のものに対応しており、１９はスライド遮光板、２０はラック歯車である。第１実施形態と同様に、販売口扉３の両端に平歯車１０を取り付け、平歯車１０と噛み合って連動する平歯車１１をその上側に取り付ける。この実施形態では、平歯車１１によりスライド遮光板１９を前後にスライドさせることにより、角孔９の開閉を行う。スライド遮光板１９の左右両端の上部には、平歯車１１と噛み合うラック歯車２０が設けられている。
【００１８】
通常は、販売口扉３が閉まっているため、図３に示すように、スライド遮光板１９は、角孔９を塞いでいて、蛍光灯７の光は販売口２内に入ってこない。そして、購入者が購入動作を行い、商品収納コラムから販売口２に商品１が搬出されると、販売口２から商品１を取り出すため販売口扉３を開けることになる。
【００１９】
図４は、図３のものの販売口扉を開いた状態を示す図である。図４に示すように、販売口扉３を前に持ち上げて開けると、それに直結された平歯車１０が時計回りに回転する。それと連動して平歯車１１が反時計回りに回転し、それがラック歯車２０と噛み合ってスライド遮光板１９が前方に移動して角孔９が開いて、電照部６にある蛍光灯７の光が販売口２内に入ってきて、その中を明るくする。また、購入者が商品１を販売口２から取り出した後、販売口扉３から手を放すと、販売口扉３は自重により閉まる。その時、平歯車１０，１１は逆に回転し、スライド遮光板１９は、再び角孔９を塞ぎ、販売口２内は暗くなる。
【００２０】
このようにすれば、スライド遮光板１９は、角孔９の上を前後にスライドして開閉することになり、スライド遮光板１９を開けたときは、角孔９の上は完全に開放されて、販売口２の中がより明るくなる。
【００２１】
なお、上記実施形態では、採光用の透孔として、角孔９，１７を設けるものとして説明したが、必ずしもそれに限定されず、楕円孔や複数本のスリットを設けてもよい。
【００２２】
【発明の効果】
本発明は、以上説明したように構成されているので、次に記載するような効果を奏する。
請求項１記載の自動販売機の販売口は、販売口扉が閉じられているときは電照部から採光するための透孔を覆い、販売口扉が開かれたときは前記透孔を覆わなくなるように販売口扉と連動して開閉する遮光板を設けるようにしたので、コストをあまりかけずに、商品購入時のみ販売口を照明するようにでき、商品を取り出し易くしながら虫が集まってこないようにすることができる。しかも、消耗する部品を使わないため、メンテナンスも楽になる。
【００２３】
そして、請求項２記載の自動販売機の販売口は、前記販売口扉のヒンジ軸と同軸に平歯車を固定し、それと噛み合って連動するもう一つの平歯車を設け、それらにより、ヒンジで前上がりに回転する開閉遮光板を開閉するようにしたので、平歯車と平板よりなる開閉遮光板のような簡単な部品を付加するだけで、上記のことを実現することができる。
【００２４】
また、請求項３記載の自動販売機の販売口は、前記販売口扉のヒンジ軸と同軸に平歯車を固定し、それと噛み合って連動するもう一つの平歯車を設け、それらにより、ラック歯車付きのスライド遮光板を前後方向にスライドさせて開閉するようにしたので、スライド遮光板を開けたとき、角孔の上は完全に開放されて、販売口の中がより明るくなる。
【図面の簡単な説明】
【図１】本発明の第１実施形態を示す図である。
【図２】図１のものの販売口扉を開いた状態を示す図である。
【図３】本発明の第２実施形態を示す図である。
【図４】図３のものの販売口扉を開いた状態を示す図である。
【図５】従来の自動販売機の販売口を示す図である。
【符号の説明】
１…商品
２…販売口
３…販売口扉
６…電照部
７…蛍光灯
９，１７…角孔
１０，１１…平歯車
１２…シャフト
１３…開閉遮光板
１５…Ｕ字溝
１９…スライド遮光板
２０…ラック歯車
【図１】
0003591263.tif 000002
【図２】
0003591263.tif 000003
【図３】
0003591263.tif 000004
【図４】
0003591263.tif 000005
【図５】
0003591263.tif 000006